(57)【要約】【課題】後方に位置する棚や壁などとかかわり合って収納スペースを実現することができる収納具を提供すること。【解決手段】収納具Ｍは、可撓性の前面部１１と、後面部３１と、下面部２１とを備え、前面部１１に形成された開口部７を収納口とし、後面部３１の後方に連設された係止部４１により被係止体８１に係止される。【選択図】図５
2014039577.tif 000002
【特許請求の範囲】
【請求項１】
可撓性の前面部と、下面部と、後面部とを備える収納具であって、
前記前面部に形成された開口部を収納口とし、
前記後面部の後方に連設された係止部により被係止体に係止されることを特徴とする収納具。
【請求項２】
可撓性の前面部と、下面部と、後面部とを備える収納具であって、
前記前面部の所定領域を一部分は前記前面部に接続したまま分離して少なくとも該分離された一部分を係止部とし、
前記分離により前記前面部に形成された開口部を収納口とし、
前記後面部に設けられた被挿入部に挿入した前記係止部により被係止体に係止されることを特徴とする収納具。
【請求項３】
可撓性の前面部と、抱持部とを備える収納具であって、
前記抱持部は、上端部が前記前面部の上端側に近接して、かつ、下端部が前記前面部の下端側に連続し、両側は開口している凹部により構成し、
前記抱持部には、折り曲げることにより前記抱持部を下面部と後面部とすることが可能な折曲げ部が形成され、
前記前面部に形成された開口部を収納口とし、
前記抱持部のうち前記後面部とすることが可能な領域の後方に連設された係止部により被係止体に係止されることを特徴とする収納具。
【請求項４】
可撓性の前面部と、抱持部とを備える収納具であって、
前記抱持部は、上端部が前記前面部の上端側に近接して、かつ、下端部が前記前面部の下端側に連続し、両側は開口している凹部により構成し、
前記抱持部には、折り曲げることにより前記抱持部を下面部と後面部とすることが可能な折曲げ部が形成され、
前記前面部の所定領域を一部分は前記前面部に接続したまま分離して少なくとも該分離された一部分を係止部とし、
前記分離により前記前面部に形成された開口部を収納口とし、
前記抱持部のうち前記後面部とすることが可能な領域に設けられた被挿入部に挿入した前記係止部により被係止体に係止されることを特徴とする収納具。
【請求項５】
可撓性の抱持部兼用の前面部と、後面部とを備える収納具であって、
前記抱持部兼用の前面部は、上端部が前記後面部の上端側に近接して、かつ、下端部が前記後面部の下端側に連続し、両側は開口している凹部により構成し、
前記抱持部兼用の前面部には、折り曲げることにより前記抱持部兼用の前面部を下面部と前面部とすることが可能な折曲げ部が形成され、
前記抱持部兼用の前面部に形成された開口部を収納口とし、
前記後面部の後方に連設された係止部により被係止体に係止されることを特徴とする収納具。
【請求項６】
可撓性の抱持部兼用の前面部と、後面部とを備える収納具であって、
前記抱持部兼用の前面部は、上端部が前記後面部の上端側に近接して、かつ、下端部が前記後面部の下端側に連続し、両側は開口している凹部により構成し、
前記抱持部兼用の前面部には、折り曲げることにより前記抱持部兼用の前面部を下面部と前面部とすることが可能な折曲げ部が形成され、
前記抱持部兼用の前面部の所定領域を一部分は前記抱持部兼用の前面部に接続したまま分離して少なくとも該分離された一部分を係止部とし、
前記分離により前記抱持部兼用の前面部に形成された開口部を収納口とし、
前記後面部に設けられた被挿入部に挿入した前記係止部により被係止体に係止されることを特徴とする収納具。
【請求項７】
前記分離は、予め設けられたスリット及び押圧分離可能な分離部の少なくともいずれかに沿って行われていることを特徴とする請求項２、４又は６に記載の収納具。
【請求項８】
前記被挿入部は、スリットであることを特徴とする請求項２、４、６及び７のいずれか１項に記載の収納具。
【請求項９】
前記係止部は、平板により形成されることを特徴とする請求項１から８のいずれか１項に記載の収納具。
【請求項１０】
前記前面部の少なくとも一部分は前記前面部の他部分よりも前記後面部よりに位置することを特徴とする請求項１から９のいずれか１項に記載の収納具。
【請求項１１】
前記前面部の少なくとも一部分とは、前記前面部の上端部分であることを特徴とする請求項１０に記載の収納具。
【請求項１２】
前記係止部は被貼付体に貼付するための貼付部材を少なくとも１つ備えることを特徴とする請求項１から１１のいずれか１項に記載の収納具。
【請求項１３】
前記係止部に少なくとも１つ以上の切欠部を設けたことを特徴とする請求項１から１２のいずれか１項に記載の収納具。
【請求項１４】
前記後面部及び前記係止部の少なくともいずれかに壁掛け用の少なくとも１つの穴部を設けたことを特徴とする請求項１から１３のいずれか１項に記載の収納具。
【請求項１５】
前記後面部に起立用の支脚部を形成することができる少なくとも１つ以上の切込みを設けたことを特徴とする請求項１から１４のいずれか１項に記載の収納具。
【請求項１６】
前記開口部を複数備えることを特徴とする請求項１から１５のいずれか１項に記載の収納具。
【請求項１７】
組立て完成状態における横幅及び高さの各寸法が、略３１０ｍｍ及び略１７０ｍｍであることを特徴とする請求項１から１６のいずれか１項に記載の収納具。
【請求項１８】
可撓性の前面部と、抱持部とを備える収納具であって、
前記抱持部は、上端部が前記前面部の上端側に近接して、かつ、下端部が前記前面部の下端側に連続し、両側は開口している凹部により構成し、
前記前面部に形成された開口部を収納口とし、
前記抱持部の後方に連設された貼付部により被貼付体に貼付されることを特徴とする収納具。
【請求項１９】
可撓性の前面部と、抱持部とを備える収納具であって、
前記抱持部は、上端部が前記前面部の上端側に近接して、かつ、下端部が前記前面部の下端側に連続し、両側は開口している凹部により構成し、
前記前面部の所定領域を一部分は前記前面部に接続したまま分離して貼付部とし、
前記分離により前記前面部に形成された開口部を収納口とし、
前記抱持部に設けられた被挿入部に挿入した前記貼付部により被貼付体に貼付されることを特徴とする収納具。
【請求項２０】
前記分離は、予め設けられたスリット及び押圧分離可能な分離部の少なくともいずれかに沿って行われていることを特徴とする請求項１９に記載の収納具。
【請求項２１】
前記被挿入部は、スリットであることを特徴とする請求項１８から２０のいずれか１項に記載の収納具。
【請求項２２】
組立て完成状態における横幅及び高さの各寸法が、略１１０ｍｍ以下及び略６０ｍｍ以下であることを特徴とする請求項１８から２１のいずれか１項に記載の収納具。
【請求項２３】
少なくとも前記前面部の一部分は可撓性平板により形成されることを特徴とする請求項１から２２のいずれか１項に記載の収納具。
【請求項２４】
可撓性平板により形成されることを特徴とする請求項１から２３のいずれか１項に記載の収納具。
【請求項２５】
一枚の可撓性平板を折り曲げることにより形成されることを特徴とする請求項１から２４のいずれか１項に記載の収納具。
【請求項２６】
一枚の可撓性平板を折り曲げること及びその一部分を切り離すことにより形成されることを特徴とする請求項１から２４のいずれか１項に記載の収納具。
【請求項２７】
前記可撓性平板は、透過性を有することを特徴とする請求項２３から２６のいずれか１項に記載の収納具。
【請求項２８】
前記可撓性平板は、樹脂からなることを特徴とする請求項２３から２７のいずれか１項に記載の収納具。
【請求項２９】
前記樹脂は、ＰＥＴであることを特徴とする請求項２８記載の収納具。
【請求項３０】
前記可撓性平板は、厚み寸法が略０．２ｍｍ〜１．２ｍｍであることを特徴とする請求項２３から２９のいずれか１項に記載の収納具。
【請求項３１】
前記開口部は、前記前面部の上下方向での全長の略３／５以下の上端側における領域に形成されることを特徴とする請求項１から３０のいずれか１項に記載の収納具。
【請求項３２】
前記開口部は、前記前面部の上下方向での全長の略１／２の上端側における領域に形成されることを特徴とする請求項１から３０のいずれか１項に記載の収納具。
【請求項３３】
前記開口部は、略四辺形及び略半円形の少なくともいずれかに形成されることを特徴とする請求項１から３２のいずれか１項に記載の収納具。
【請求項３４】
少なくとも前記前面部に視覚により認識可能な表示を付加可能であることを特徴とする請求項１から３３のいずれか１項に記載の収納具。
【請求項３５】
少なくとも前記前面部は視覚により認識可能な表示が付された媒体を備えることを特徴とする請求項１から３４のいずれか１項に記載の収納具。
【発明の詳細な説明】
【技術分野】
【０００１】
本発明は、後方に位置する棚や壁などとかかわり合って収納スペースを実現することができる収納具に関する。
【背景技術】
【０００２】
従来、書店などでは、書籍などをいわゆる平積みにより陳列している。しかし、新たな書籍などをいわゆる平積みにより陳列するためには、従前から陳列されている書籍などを移動する必要があり、十分な陳列場所を確保することが困難な場合も多い。
【０００３】
関連技術として、各種パンフレットなどを展示提供するためのケースであり、輸送や保管の際にコンパクトに処理でき、組み立てが容易であるものが提案されている。
その構成は、両側に直角に折り曲げた２側面板を備えた傾斜する前面板と、中程に係止孔部が設けられ前面板に平行な背面板と、前面板の下部より背面板下端部の下側を通って折り曲げた水平な底面板とにより形成されるシート収納部と、該底面板より背面板の後部に折り立てた係止孔部に嵌入する係止板を備え両側に直角に折り曲げた側面板を備えた後部支持板が背面板に係止され、前面板両端と側面板との下端部と後部支持板両端と側面板との下端部とに平面視的に直角折曲支脚部を備えるものである（特許文献１参照）。
【先行技術文献】
【特許文献】
【０００４】
【特許文献１】特開平８−３２４５５０号公報
【発明の概要】
【発明が解決しようとする課題】
【０００５】
しかしながら、上記の関連技術は、ケースを該ケースの後方に位置する棚（ラック）や壁などに係止させたり、貼付したりするなどして、かかわり合わせることにより収納スペースを実現することは困難である。
【０００６】
本発明の目的は、自収納具の後方に位置する棚や壁などとかかわり合って収納スペースを実現することができる収納具を提供することにある。
【課題を解決するための手段】
【０００７】
本発明の収納具は、
可撓性の前面部と、下面部と、後面部とを備える収納具であって、
前記前面部に形成された開口部を収納口とし、
前記後面部の後方に連設された係止部により被係止体に係止されることを特徴とする。
このように構成することにより、一枚の板状体からのみでなく、前面部と、下面部と、後面部と、係止部とがそれぞれ独立した部材であっても、自収納具の後方に位置する棚や壁などとかかわり合って収納スペースを実現することができる収納具を提供可能である。
【０００８】
本発明の収納具は、
可撓性の前面部と、下面部と、後面部とを備える収納具であって、
前記前面部の所定領域を一部分は前記前面部に接続したまま分離して少なくとも該分離された一部分を係止部とし、
前記分離により前記前面部に形成された開口部を収納口とし、
前記後面部に設けられた被挿入部に挿入した前記係止部により被係止体に係止されることを特徴とする。
このように構成することにより、例えば、前面部から係止部をくり抜いて、くり抜かれた部分の開口部を収納口とし、さらに、係止部を後面部に設けられた被挿入部に挿入して固定するので、簡易に安定した形態の、自収納具の後方に位置する棚や壁などとかかわり合って収納スペースを実現することができる収納具を提供可能である。
【０００９】
本発明の収納具は、
可撓性の前面部と、抱持部とを備える収納具であって、
前記抱持部は、上端部が前記前面部の上端側に近接して、かつ、下端部が前記前面部の下端側に連続し、両側は開口している凹部により構成し、
前記抱持部には、折り曲げることにより前記抱持部を下面部と後面部とすることが可能な折曲げ部が形成され、
前記前面部に形成された開口部を収納口とし、
前記抱持部のうち前記後面部とすることが可能な領域の後方に連設された係止部により被係止体に係止されることを特徴とする。
このように構成することにより、一枚の板状体からのみでなく、前面部と、抱持部と、係止部とがそれぞれ独立した部材であっても、自収納具の後方に位置する棚や壁などとかかわり合って収納スペースを実現することができる収納具を提供可能である。また、抱持部を下面部と後面部とすることが可能な折曲げ部を備えるので、下面部と後面部とを形成してもよく、又はそのまま抱持部として利用することも可能であり両形態のメリットを享受できる。抱持部として利用すると長めのパンフレット等が前倒れすることを抑止することもできる。
【００１０】
本発明の収納具は、
可撓性の前面部と、抱持部とを備える収納具であって、
前記抱持部は、上端部が前記前面部の上端側に近接して、かつ、下端部が前記前面部の下端側に連続し、両側は開口している凹部により構成し、
前記抱持部には、折り曲げることにより前記抱持部を下面部と後面部とすることが可能な折曲げ部が形成され、
前記前面部の所定領域を一部分は前記前面部に接続したまま分離して少なくとも該分離された一部分を係止部とし、
前記分離により前記前面部に形成された開口部を収納口とし、
前記抱持部のうち前記後面部とすることが可能な領域に設けられた被挿入部に挿入した前記係止部により被係止体に係止されることを特徴とする。
このように構成することにより、例えば、前面部から係止部をくり抜いて、くり抜かれた部分の開口部を収納口とし、さらに、係止部を抱持部に設けられた被挿入部に挿入して固定するので、簡易に安定した形態の、自収納具の後方に位置する棚や壁などとかかわり合って収納スペースを実現することができる収納具を提供可能である。また、抱持部を下面部と後面部とすることが可能な折曲げ部を備えるので、下面部と後面部とを形成してもよく、又はそのまま抱持部として利用することも可能であり両形態のメリットを享受できる。抱持部として利用すると長めのパンフレット等が前倒れすることを抑止することもできる。
【００１１】
本発明の収納具は、
可撓性の抱持部兼用の前面部と、後面部とを備える収納具であって、
前記抱持部兼用の前面部は、上端部が前記後面部の上端側に近接して、かつ、下端部が前記後面部の下端側に連続し、両側は開口している凹部により構成し、
前記抱持部兼用の前面部には、折り曲げることにより前記抱持部兼用の前面部を下面部と前面部とすることが可能な折曲げ部が形成され、
前記抱持部兼用の前面部に形成された開口部を収納口とし、
前記後面部の後方に連設された係止部により被係止体に係止されることを特徴とする。
このように構成することにより、一枚の板状体からのみでなく、抱持部兼用の前面部と、後面部と、係止部とがそれぞれ独立した部材であっても、自収納具の後方に位置する棚や壁などとかかわり合って収納スペースを実現することができる収納具を提供可能である。また、抱持部兼用の前面部を下面部と前面部とすることが可能な折曲げ部を備えるので、下面部と前面部とを形成しても、そのまま抱持部兼用の前面部として利用することも可能であり両形態のメリットを享受できる。
【００１２】
本発明の収納具は、
可撓性の抱持部兼用の前面部と、後面部とを備える収納具であって、
前記抱持部兼用の前面部は、上端部が前記後面部の上端側に近接して、かつ、下端部が前記後面部の下端側に連続し、両側は開口している凹部により構成し、
前記抱持部兼用の前面部には、折り曲げることにより前記抱持部兼用の前面部を下面部と前面部とすることが可能な折曲げ部が形成され、
前記抱持部兼用の前面部の所定領域を一部分は前記抱持部兼用の前面部に接続したまま分離して少なくとも該分離された一部分を係止部とし、
前記分離により前記抱持部兼用の前面部に形成された開口部を収納口とし、
前記後面部に設けられた被挿入部に挿入した前記係止部により被係止体に係止されることを特徴とする。
このように構成することにより、例えば、前面部から係止部をくり抜いて、くり抜かれた部分の開口部を収納口とし、さらに、係止部を後面部に設けられた被挿入部に挿入して固定するので、簡易に安定した形態の、自収納具の後方に位置する棚や壁などとかかわり合って収納スペースを実現することができる収納具を提供可能である。また、抱持部兼用の前面部を下面部と前面部とすることが可能な折曲げ部を備えるので、下面部と前面部とを形成しても、そのまま抱持部兼用の前面部として利用することも可能であり両形態のメリットを享受できる。
【００１３】
本発明の収納具は、
前記分離は、予め設けられたスリット及び押圧分離可能な分離部の少なくともいずれかに沿って行われていることを特徴とする。
このように構成することにより、特別な道具を用いることなく、スリットにより簡易に組み立てを行ったり、押圧分離により簡易に分離を行うことができる。
【００１４】
本発明の収納具は、
前記被挿入部は、スリットであることを特徴とする。
このように構成することにより、狭いスリットにより挿入後の状態を容易に固定して形態の安定化を図ることができる。
【００１５】
本発明の収納具は、
前記係止部は、平板により形成されることを特徴とする。
このように構成することにより、被係止体が平面形状である棚などの場合に、形状が適合することにより係止が簡易・容易に行うことができる。
【００１６】
本発明の収納具は、
前記前面部の少なくとも一部分は前記前面部の他部分よりも前記後面部よりに位置することを特徴とする。
例えば、前面部が側部からの視点で略Ｓ字状となるように構成されている場合も含まれる。開口部との位置関係でこのような形態であっても収納可能となる。
【００１７】
本発明の収納具は、
前記前面部の少なくとも一部分とは、前記前面部の上端部分であることを特徴とする。
例えば、前面部が側部からの視点で略逆Ｓ字状となるように構成されている場合も含まれる。開口部との位置関係でこのような形態であっても収納可能となる。
【００１８】
本発明の収納具は、
前記係止部は被貼付体に貼付するための貼付部材を少なくとも１つ備えることを特徴とする。
このように構成することにより、貼付部材としての粘着テープ等により係止部を利用してカウンター等に収納具を貼付して利用することもできる。
【００１９】
本発明の収納具は、
前記係止部に少なくとも１つ以上の切欠部を設けたことを特徴とする。
このように構成することにより、針金のラック等に係止させる場合に、針金の存在により係止部を十分に差し込めない等の事態を回避することができる。
【００２０】
本発明の収納具は、
前記後面部及び前記係止部の少なくともいずれかに壁掛け用の少なくとも１つの穴部を設けたことを特徴とする。したがって、壁に掛けて利用することもできる。
【００２１】
本発明の収納具は、
前記後面部に起立用の支脚部を形成することができる少なくとも１つ以上の切込みを設けたことを特徴とする。したがって、所定の台の上に載置して起立させて利用することもできる。
【００２２】
本発明の収納具は、
前記開口部を複数備えることを特徴とする。
このように構成することにより、収納具の横幅が長い形態となった場合、各収納口からコンパクトに収納することができ、また、前面部のうち各収納口の間に残された部分により収納具の形態を安定して保持することができる。
【００２３】
本発明の収納具は、
組立て完成状態における横幅及び高さの各寸法が、略３１０ｍｍ及び略１７０ｍｍであることを特徴とする。
このように構成することにより、例えば、複数のＢ６サイズの書籍がコンパクトに収納できる。また、郵送等により配送する際に適切に封筒に収まるので取り扱いの便宜が図られる。
【００２４】
本発明の収納具は、
可撓性の前面部と、抱持部とを備える収納具であって、
前記抱持部は、上端部が前記前面部の上端側に近接して、かつ、下端部が前記前面部の下端側に連続し、両側は開口している凹部により構成し、
前記前面部に形成された開口部を収納口とし、
前記抱持部の後方に連設された貼付部により被貼付体に貼付されることを特徴とする。
このように構成することにより、一枚の板状体からのみでなく、前面部と、抱持部と、貼付部とがそれぞれ独立した部材であっても、自収納具の後方に位置する棚や壁などとかかわり合って収納スペースを実現することができる収納具を提供可能である。
【００２５】
本発明の収納具は、
可撓性の前面部と、抱持部とを備える収納具であって、
前記抱持部は、上端部が前記前面部の上端側に近接して、かつ、下端部が前記前面部の下端側に連続し、両側は開口している凹部により構成し、
前記前面部の所定領域を一部分は前記前面部に接続したまま分離して貼付部とし、
前記分離により前記前面部に形成された開口部を収納口とし、
前記抱持部に設けられた被挿入部に挿入した前記貼付部により被貼付体に貼付されることを特徴とする。
このように構成することにより、例えば、前面部から貼付部をくり抜いて、くり抜かれた部分の開口部を収納口とし、さらに、貼付部を抱持部に設けられた被挿入部に挿入して固定するので、簡易に安定した形態の、自収納具の後方に位置する棚や壁などとかかわり合って収納スペースを実現することができる収納具を提供可能である。
【００２６】
本発明の収納具は、
前記分離は、予め設けられたスリット及び押圧分離可能な分離部の少なくともいずれかに沿って行われていることを特徴とする。
このように構成することにより、特別な道具を用いることなく、スリットにより簡易に組み立てを行ったり、押圧分離により簡易に分離を行うことができる。
【００２７】
本発明の収納具は、
前記被挿入部は、スリットであることを特徴とする。
このように構成することにより、狭いスリットにより挿入後の状態を容易に固定して形態の安定化を図ることができる。
【００２８】
本発明の収納具は、
組立て完成状態における横幅及び高さの各寸法が、略１１０ｍｍ以下及び略６０ｍｍ以下であることを特徴とする。
このように構成することにより、ミニサイズのカード等を小さなスペースで有効に収納したり、展示することができる。
【００２９】
本発明の収納具は、
少なくとも前記前面部の一部分は可撓性平板により形成されることを特徴とする。
このように構成することにより、前面部の曲げ特性や撓みにより、組み立てが容易、かつ曲面を備える独特の形態を構成することもできる。
【００３０】
本発明の収納具は、
可撓性平板により形成されることを特徴とする。
このように構成することにより、全体の曲げ特性や撓みにより、組み立てが容易、かつ曲面を備える独特の形態を構成することもできる。
【００３１】
本発明の収納具は、
一枚の可撓性平板を折り曲げることにより形成されることを特徴とする。
このように構成することにより、独立の材料を必要としなく、また、特別な道具を必要とすることなく手で折り曲げることにより組み立てられるので、極めて便利である。一枚の可撓性平板を郵送することによりユーザに簡単に低コストで大量に送ることもできる。また、使用後の収納具の解体・分解も容易に行うことができる。
【００３２】
本発明の収納具は、
一枚の可撓性平板を折り曲げること及びその一部分を切り離すことにより形成されることを特徴とする。
このように構成することにより、特別な道具を必要とすることなく手で折り曲げることにより組み立てられるので、極めて便利である。また、例えば、係止部や貼付部の横幅や縦幅が大きすぎる場合等に、切り取ることで長さを調整して利用することもできる。
【００３３】
本発明の収納具は、
前記可撓性平板は、透過性を有することを特徴とする。
このように構成することにより、収納した物を外部から視認可能となるので、展示効果が大きくなる。
【００３４】
本発明の収納具は、
前記可撓性平板は、樹脂からなることを特徴とする。
このように構成することにより、紙等と異なり耐久性や重量等の点で有利となる。
【００３５】
本発明の収納具は、
前記樹脂は、ＰＥＴであることを特徴とする。
このように構成することにより、リサイクルも可能で環境にも配慮することができ、ユーザも利用意欲が高くなるという顕著な効果を奏する。
【００３６】
本発明の収納具は、
前記可撓性平板は、厚み寸法が略０．２ｍｍ〜１．２ｍｍであることを特徴とする。
このように構成することにより、折り曲げが容易となることに加えて、板状体が所定のサイズの場合に、曲げ特性・撓み具合と相まって実現される組立て時の容易性、形態保持力等から、収納具を板状体から形成することができる。
【００３７】
本発明の収納具は、
前記開口部は、前記前面部の上下方向での全長の略３／５以下の上端側における領域に形成されることを特徴とする請求項１から３０のいずれか１項に記載の収納具。
このように構成することにより、収納口が収納し易い大きさ・位置に形成されるので都合がよい。また、反射的に係止部等も全長の略３／５以下になるので長くなり過ぎないという利点がある。すなわち、収納口としても係止部としても両者が適切な位置・大きさとなるという優れた効果を奏する。
【００３８】
本発明の収納具は、
前記開口部は、前記前面部の上下方向での全長の略１／２の上端側における領域に形成されることを特徴とする。
このように構成することにより、収納口が収納し易い大きさ・位置に形成されるので都合がよい。また、反射的に係止部等も全長の略１／２になるので長くなり過ぎないという利点がある。すなわち、収納口としても係止部としても両者が適切な位置・大きさとなるという優れた効果を奏する。
【００３９】
本発明の収納具は、
前記開口部は、略四辺形及び略半円形の少なくともいずれかに形成されることを特徴とする。
このように構成することにより、収納口が書籍等を収納し易い形状となる。
【００４０】
本発明の収納具は、
少なくとも前記前面部に視覚により認識可能な表示を付加可能であることを特徴とする。
このように構成することにより、視認し易い前面部等において印刷等による名入れや宣伝広告等が可能となる。
【００４１】
本発明の収納具は、
少なくとも前記前面部は視覚により認識可能な表示が付された媒体を備えることを特徴とする。
このように構成することにより、視認し易い前面部等において宣伝用の紙・チラシ等を挟んだり、貼付することでＰＲが可能となる。
【発明の効果】
【００４２】
本発明によれば、自収納具の後方に位置する棚や壁などとかかわり合って収納スペースを実現可能な収納具を提供することができる。
【図面の簡単な説明】
【００４３】
【図１】本発明の第１の実施の形態に係る収納具の組立て用基板の平面図である。
【図２】第１の実施の形態の組立て用基板から収納具を組み立てる手順を示す図である。
【図３】第１の実施の形態の収納具の組立て完成斜視図である。
【図４】第１の実施の形態の収納具を被係止体に係止させた状態を示す斜視図である。
【図５】第１の実施の形態の収納具の使用状態を示す斜視図である。
【図６】異なる組立て完成状態における収納具を被係止体に係止させた状態を示す斜視図である。
【図７】第１の実施の形態の収納具を被貼付体に貼付した状態を示す斜視図である。
【図８】第１の実施の形態の収納具の異なる組立て完成斜視図である。
【図９】本発明の第２の実施の形態に係る収納具の組立て用基板の平面図である。
【図１０】第２の実施の形態の組立て用基板から収納具を組み立てる手順を示す図である。
【図１１】第２の実施の形態の収納具の組立て完成斜視図である。
【図１２】第２の実施の形態の収納具を被係止体に係止させた状態を示す斜視図である。
【図１３】第２の実施の形態の収納具を壁掛けに係止させた状態を示す斜視図である。
【図１４】第２の実施の形態の収納具を起立させた状態を示す斜視図である。
【図１５】第３の実施の形態の収納具を被係止体に係止させた状態を示す斜視図である。
【図１６】第４の実施の形態の収納具の組立て完成斜視図である。
【図１７】本発明の第５の実施の形態に係る収納具の組立て用基板の平面図である。
【図１８】第５の実施の形態の組立て用基板から収納具を組み立てる手順を示す図である。
【図１９】第５の実施の形態の収納具を被貼付体に貼付した状態を示す斜視図である。
【図２０】第５の実施の形態の収納具の使用状態を示す斜視図である。
【発明を実施するための形態】
【００４４】
以下、本発明の第１の実施の形態を図面を参照しつつ説明する。本実施形態の収納具Ｍは、全体を折り曲げ・復元可能な樹脂、金属又は紙などの長手状の平板に折曲線、切り込み線（スリット）を設定して接着剤などの固定手段を使わずに、その形態を折り曲げ、切り込み線への所要部分の挿入固定により設定することが望ましい。すなわち、平板状のものを所定部分で折り曲げ、挿入差込みなどの作業により簡単に組み立てて収納具Ｍを完成できるから輸送、集積コストの低減や使用後の分解により簡単に平板状に復することができて良好な使い勝手を実現できる。
【００４５】
図１に示すように、組立て用基板Ｐは、透明の樹脂であるＰＥＴ（ポリエチレンテレフタラート）からなる平板略長方形状の組立て用基板であり、原前面部１、原下面部２、原後面部３、原係止部４を有している。これらの原前面部１、原下面部２、原後面部３、原係止部４は組み立て後に、後述するように前面部１１、下面部２１、後面部３１、係止部４１をそれぞれ構成することとなる。なお、ＰＥＴは、リサイクル容易で、コスト低廉、軽量との利点を有し、材料自体が地球環境に優しく、しかも美麗で高級感を醸し出すことができる。
【００４６】
さらに、図１において、１ａ（図中では実線で示す）は、原係止部４の形状をなす四辺形状の三辺をなす切り込み線で、原係止部４の下端と両端をなすように形成されていて、原係止部４の上端をなす線１ｂ（図中では破線で示す）に沿って折り曲げるようにしてＰＥＴの撓み・曲げ特性を利用して、原係止部４を長方形状の原前面部１から押し出し形成することができる。予め切り込み線により切り取られていても、破線部分のみが刻設された貫通溝による破線状の切り取り線が形成されていても、押圧により分離可能な筋押し線（コストから好ましい）等の押圧薄部等が形成されていてもよい。なお、原係止部４の形状は、四辺形に限らず、半円形やその他、任意の形状であってよい。
原係止部４の上端をなす折曲線１ｂ（図中では破線で示す）に沿って折り曲げることにより原係止部４を長方形状の原前面部１から押し出し形成することができることであってもよい。折曲線１ｂはプレスにより押圧薄部が点線状に形成されていて折り曲げが容易になっている。また、折曲部としての折曲線１ｂは折り曲げが可能であればどのように形成されていてもよい。
【００４７】
長方形状の原下面部２は、折曲線５部分で原前面部１とつながっており、折曲線６部分で原後面部３とつながっている。折曲線５及び折曲線６の構成作用は上記の折曲線１ｂと同様である。
【００４８】
長方形状の原後面部３は、上記のとおり折曲線６部分で原下面部２とつながっており、折曲線６と対向する端部には差し込みスリット３aが形成されていて、組み立て時に原係止部４を挿入できるような寸法に形成されている。差し込みスリット３aによる切込みの代わりに所定の大きさの開口部が予め形成されていたり、当該開口部を形成するために所定領域が分離可能に形成されていてもよい。ここでは、スリットとは切込線のみでなく多少の幅をもった切込線状の開口部が形成されているものを含む。
【００４９】
図２を参照して、組立て用基板Ｐを組み立てて収納具Ｍを完成する手順を説明する。なお、山折り、谷折り等は、図１を上面図とした場合における方向を前提とする。
まず、組立て用基板Ｐの傷防止用フィルムを剥がす。そして、組立て用基板Ｐの折曲線５及び折曲線６に沿って谷折りし、原下面部２に対して原前面部１と原後面部３を略９０度の角度に起立させコ字状とする（図２（ａ）参照）。
次に、原係止部４を切り込み線１aに沿って原後面部３側に押し出すと共に、線１ｂに沿って折り曲げるようにして、原前面部１に開口部７を形成する。そして、原係止部４及び原前面部１のＰＥＴの撓み・曲げ特性（腰がある）を利用して原係止部４の下端を上方に持ち上げ、原後面部３におけるスリット３aに挿し込むようにする（図２（ｂ）参照）。
そして、原係止部４をスリット３aに最奥まで一杯に挿し込む（挿入する）ことにより収納具Ｍが完成する（図２（ｃ）、図３参照）。スリット３aに挿し込まれた原係止部４は、その厚み寸法や撓み・曲げ特性から容易に最奥まで一杯に挿し込まれた状態から脱することはない。この収納具Ｍは、図２（ｃ）、図３に示すようにＰＥＴからなる板材を折り曲げて前面部１１、下面部２１、後面部３１、係止部４１が一体に形成されている。
【００５０】
さらに、前面部１１には被収納物（例えば、各種カード・パネル・葉書・パンフレット・案内書・カタログ、書籍、或いは薄型板状の電子機器・化粧品・小物商品など）を前面部１１と下面部２１と後面部３１とにより形成される収納空間へ配置するための収納口としての開口部７が形成されている。また、前面部１１はその下端が下面部２１に連続し上端は後面部３１の上端近傍に接し、開口部７の両側の短冊状部分は凸状に滑らかに湾曲した形状である。そして、係止部４１は後面部３１に重なるように位置するが、係止部４１の位置は後面部３１から離間する方向へ容易に移動することができる。
【００５１】
すなわち、図２（ｃ）、図３に示す収納具Ｍにおいて、前面部１１の開口部７は上端部分を前面部１１に接続したまま切り抜き（分離）形成され、この切り抜き部分により係止部４１が形成されている。そして、当該切抜き部分は後面部３１の上部に形成したスリット３aに挿入固定された構成を有している。
また、前面部１１の開口部７は、前面部１１の上下方向での全長の略３／５以下の上端側における領域（略１／２の上端側における領域）に形成されている。したがって、係止部４１も前面部１１の上下方向での全長の略３／５以下（略１／２）の長さとなっている。
【００５２】
図４は、収納具Ｍを被係止体８１に係止させた状態を示す図である。被係止体８１としては、例えば、書店などにおける書籍等の陳列棚にみられるようなガラス区画棚や、コンビニエンス・ストアなどにおける雑誌等のラック（針金等による区画棚）がある。
収納具Ｍの係止部４１の位置を後面部３１から離間する方向へ移動して、両者の間に生じた隙間に被係止体８１を挟み込むようにして、収納具Ｍを被係止体８１に係止させる。被係止体８１の前面側には、被収納物を収納するための空間が前面部１１と下面部２１と後面部３１とにより形成されている。なお、被係止体８１の前面側と後面部３１とは密着しているか、あるいはわずかな隙間が生じているに過ぎない状態となる。
【００５３】
図５は、収納具Ｍに複数の雑誌９を収納して使用している陳列状況を示す図である。収納具Ｍの前面部１１と下面部２１と後面部３１とにより形成されている収納空間に雑誌９を収納口としての開口部７から差し入れて配置することにより収納、展示している。書籍のみでなくパンフレット、リーフレット類を含めて広く被収納体を同様に収納、展示することができる。
【００５４】
本実施の形態における、収納具Ｍのサイズは、透明ＰＥＴの厚さ寸法が０．８ｍｍ、平板状態時のサイズは縦３０６ｍｍ×横４４０ｍｍ、完成状態時のサイズはＷ（横幅）３０６ｍｍ×Ｈ（高さ）１７０ｍｍ×Ｄ（奥行き）６５ｍｍ、収納口のサイズは横２８０ｍｍ、収納空間はＤ６３ｍｍである。
このサイズの場合、例えば、複数のＢ６サイズの書籍がコンパクトに収納できる。また、組立て用基板Ｐを郵送等によりユーザに配送する際に、２つ折りにすれば適切に封筒に収まるので取り扱いの便宜が図られ、コストの低減も図られる。
【００５５】
上記のような構成により、前面部１１から係止部４１をくり抜いて、くり抜かれた部分の開口部７を収納口とし、さらに、係止部４１を後面部３１に設けられた被挿入部３ａに挿入して固定するので、簡易に安定した形態の、収納具Ｍを提供することができる。また、使用後の収納具Ｍの解体・分解も容易に行うことができる。
【００５６】
次に、図６を参照して、本実施の形態における収納具Ｍを異なる組立て完成状態として用いる場合について説明する。
上記の組立て用基板Ｐの折曲線６に沿って谷折りして原下面部２に対して原後面部３を起立させることなく、原下面部２と原後面部３を併せて抱持部５１としてもよい。
そして、前面部１１にはパンフレット等の被陳列物を抱持部５１へ設置するための開口部７が形成されていて、抱持部５１はその下端が前面部１１の下端に連続しており、その上端は前面部１１の上端近傍に近接し、両側は開口されている湾曲状の凹部として構成されている。
このように抱持部５１を形成することで、高さ方向の寸法が長めのパンフレット等が前倒れすることを抑止することができる。
また、抱持部５１を下面部と後面部とすることが可能な折曲線６を備えるので、下面部と後面部とを形成しても、又はそのまま抱持部５１として利用することも可能であり両形態のメリットを享受できる。
【００５７】
逆に、図示は省略するが、上記の組立て用基板Ｐの折曲線５に沿って谷折りして原下面部２に対して原前面部１を起立させることなく、原下面部２と原前面部１を併せて抱持部兼用の前面部１１としてもよい。
そして、抱持部兼用の前面部１１にはパンフレット等の被陳列物を抱持部へ設置するための開口部７が形成されていて、抱持部兼用の前面部１１はその下端が後面部３１の下端に連続しており、その上端は後面部３１の上端近傍に近接し、両側は開口されている湾曲状の凹部として構成されることとしてもよい。
【００５８】
次に、図７を参照して、本実施の形態における収納具Ｍを被貼付体８２に貼付して用いる場合について説明する。
収納具Ｍの係止部４１の位置を後面部３１から離間する方向へ移動して、係止部４１の前面側（図７では下面側）に貼られた貼付部材１０としての両面粘着テープにより、収納具Ｍを被貼付体８２としてのレジカウンターや書棚等に貼付する。貼付部材１０は、両面粘着テープに限らず、種々のものを含む。複数設けられてもよく、係止部４１自体に予め貼付部材が備えられていてもよい。
貼付部材１０は、係止部４１の後面側（図７では上面側）に備えられ、収納具Ｍの係止部４１の位置を後面部３１に接する方向へ移動して、貼付部材１０により収納具Ｍを被貼付体８２に貼付する（後述する図１９参照）ことであってもよい。
【００５９】
次に、図８（ａ）を参照して、本実施の形態における収納具Ｍを異なる組立て完成状態として用いる場合について説明する。上記の図２（ｂ）における原係止部４及び原前面部１のＰＥＴの撓み・曲げ特性を利用して原係止部４の下端を上方に持ち上げ、原後面部３におけるスリット３aに挿し込むようにする際に、原係止部４をスリット３aに最奥まで一杯に挿し込む（挿入する）のではなく、中途の位置で挿し込みを完了して収納具Ｍが完成する。挿し込みが完了する中途の位置に所定の折り曲げ線等が設けられていてもよい。なお、前面部２１は、緩やかに後面部３１に近づいていく形状のみでなく、途中で後面部３１から離れていく部分が含まれる形状等、開口部７が収納口として機能する限り任意の形状が適用可能である。
【００６０】
図８（ｂ）には、収納具Ｍを１枚の平板から形成するのではなく、特に、少なくとも原係止部４を別個に用意して組み立てることを想定した場合における、収納具Ｍの組立て完成状態の一例を示す。前面部２１の上端部分は、後面部３１に近づく位置であるが、後面部３１には接しない位置に存在する形状である。なお、前面部２１は、緩やかに後面部３１に近づいていく形状のみでなく、途中で後面部３１から離れていく部分が含まれる形状等、開口部７が収納口として機能する限り任意の形状が適用可能である。また、係止部４１は何らかの手法により後面部３１の後方に位置する。
【００６１】
次に、本発明の第２の実施の形態を図面を参照しつつ説明する。本実施形態の収納具Ｍは、上記の第１の実施の形態と基本的な構成は同様であるが、切欠部２０１と、壁掛け用の穴部２０２と、起立用の支脚部２０３とを備えている点で相違する。上記の第１の実施の形態と重複する部分の説明は省略する。
【００６２】
図９に示すように、組立て用基板Ｐは、原前面部１、原下面部２、原後面部３、原係止部４を有している。原係止部４には、切欠部２０１と、壁掛け用の穴部２０２が形成されている。また、原後面部３には、起立用の支脚部２０３が形成されている。
【００６３】
図１０、図１１に示すように、組立て用基板Ｐを組み立てて収納具Ｍを完成する手順は、上記の第１の実施の形態と同様である。
【００６４】
図１２は、収納具Ｍを被係止体８３に係止させた状態を示す図である。被係止体８３としては、例えば、コンビニエンス・ストアなどにおける雑誌等のラック（針金等による区画棚）がある。
収納具Ｍの係止部４１の位置を後面部３１から離間する方向へ移動して、両者の間に生じた隙間に被係止体８３を挟み込むようにして、収納具Ｍを被係止体８３に係止させる。この際、係止部４１に設けられた切欠部２０１により所定の高さ位置に存在するラックの針金等が邪魔にならずに収納具Ｍを被係止体８３に係止させることができる。なお、切欠部２０１の個数、位置、形状、切欠の深さ等は任意のものが採用されてよい。
【００６５】
図１３は、収納具Ｍを被係止体８４に係止させた状態を示す図である。被係止体８４としては、例えば、壁がある。
収納具Ｍの係止部４１に設けられた２つの壁掛け用の穴部２０２により被係止体８４に取り付けられたフック等に掛止することで、収納具Ｍを被係止体８４に係止させる。なお、壁掛け用の穴部２０２の個数、位置、形状等は任意のものが採用されてよい。また、後面部３１に壁掛け用の穴部が設けられることであってもよい。
【００６６】
図１４は、収納具Ｍを自立させた状態を示す図である。後面部３１に設けられた起立用の支脚部２０３を引き出して、所定の場所に載置することができる。なお、起立用の支脚部２０３の個数、位置、形状等は任意のものが採用されてよい。また、起立用の支脚部２０３は必ずしも自立可能なものに限られない。
【００６７】
なお、本実施の形態にも、上記の図６乃至図８に示す変形例が適用可能である。
【００６８】
次に、本発明の第３の実施の形態を図１５を参照しつつ説明する。本実施形態の収納具Ｍは、上記の第１の実施の形態と基本的な構成は同様であるが、収納具Ｍの係止部４１を複数備え、前面部２１には複数の開口部７が形成されている点で相違する。上記の第１の実施の形態と重複する部分の説明は省略する。
【００６９】
所定の間隔で設けられた複数の原係止部４を長方形状の原前面部１から押し出し形成する。
複数の係止部４１の間に、所定の高さ位置に存在するラックの針金等を位置させれば針金等が邪魔にならずに収納具Ｍを被係止体８３に係止させることができる。
また、前面部２１には複数の開口部７が形成されるので、逆に言えば、前面部２１に設けられた１つの開口部７の中間に両側部と同様に前面部２１の上端に連続する帯状部分が形成されることとなり、強度が増して収納具Ｍの形状を保持することに資するので、特に収納具Ｍの横幅が長い場合には好適である。
また、前面部２１には複数の開口部７が形成されるので、被収納物をそれぞれの収納口から収納してコンパクトに整理して収納することができる。
なお、係止部４１ないしは開口部７の個数、位置、形状等は任意のものが採用されてよい。
なお、本実施の形態にも、上記の図６乃至図１４に示す変形例が適用可能である。
【００７０】
次に、本発明の第４の実施の形態を図１６を参照しつつ説明する。本実施形態の収納具Ｍは、上記の第１の実施の形態と基本的な構成は同様であるが、収納具Ｍの前面部２１に印刷（名入れ）や紙等による文字、図形等の表示を行い宣伝広告等に用いる点で相違する。上記の第１の実施の形態と重複する部分の説明は省略する。
図１６（ａ）を参照すると、前面部２１に予め印刷（名入れ）を施している。ＰＥＴであるので簡単にフルカラー印刷が可能である。
図１６（ｂ）を参照すると、前面部２１に引っ掛けるように逆Ｖ字状に２つ折りにして広告用紙を係止させている。２つ折りにした広告用紙は、手前側が長く前面部２１の前方に広告が表示される態様であっても、手前側が短く前面部２１の後方（収納空間内）に広告が表示されて透明な前面部２１を透過して表示が視認可能な態様であってもよい。また、前面部２１に２つ折りにした広告用紙を係止させることなく、前面部２１の後方（収納空間内）に広告用紙を立て掛けたり、貼付等することで広告が表示されることであってもよい。さらに、前面部２１の前方側に直接、広告用紙を貼付等することで広告が表示されることであってもよい。
商品としての被収納体の訴求性を高めることができる。
なお、本実施の形態にも、上記の図６乃至図１５に示す変形例が適用可能である。
【００７１】
次に、本発明の第５の実施の形態を図面を参照しつつ説明する。本実施形態の収納具Ｍは、上記の第１の実施の形態と基本的な構成は同様であるが、組立て用基板Ｐに折曲線６がなく、原下面部と原後面部を併せて原抱持部としている点及び貼付部４１´の後面側（図１７では上面側）に貼付部材１０´としての両面粘着テープを備える点で相違する。上記の第１の実施の形態と重複する部分の説明は省略する。
【００７２】
図１７に示すように、組立て用基板Ｐは、原前面部１、原抱持部３´、原貼付部４´を有している。原貼付部４´の後面側（図１７では上面側）に貼付部材１０´としての両面粘着テープが貼付されている。貼付部材１０´は、両面粘着テープに限らず、種々のものを含む。複数設けられてもよく、原貼付部４´自体に予め貼付部材が備えられていてもよい。
【００７３】
図１８に示すように、組立て用基板Ｐを組み立てて収納具Ｍを完成する手順は、上記の第１の実施の形態と同様である。
【００７４】
図１９は、収納具Ｍを被貼付体８５に貼付した状態を示す図である。被貼付体８５としては、例えば、ディスプレイ装置、壁面、ガラスその他の平滑面、棚、商品パッケージ等がある。
貼付部材１０´は、貼付部４１´の後面側（図１７では上面側）に備えられ、収納具Ｍの貼付部４１´の位置を抱持部３１´に接する方向へ移動して、貼付部材１０´により収納具Ｍを被貼付体８５に貼付する。
【００７５】
図２０は、収納具Ｍに複数のカード９´を収納して使用している陳列状況を示す図である。収納具Ｍの前面部１１と抱持部３１´とにより形成されている収納空間にカード９´を収納口としての開口部７から差し入れて配置することにより収納、展示している。カードのみでなくチラシ、パンフレット、リーフレット類を含めて広く被収納体を同様に収納、展示することができる。
【００７６】
本実施の形態における、収納具Ｍのサイズは、透明ＰＥＴの厚さ寸法が０．３ｍｍ、平板状態時のサイズは縦１２０ｍｍ×横１０８ｍｍ、完成状態時のサイズはＷ１０８ｍｍ×Ｈ５５ｍｍ×Ｄ５０ｍｍ、収納口のサイズは縦２８ｍｍ×横１００ｍｍである。上記の第１の実施の形態における収納具Ｍと比較してミニサイズとなっている。
このサイズの場合、例えば、複数のカードがコンパクトに収納できる。また、組立て用基板Ｐを郵送等によりユーザに配送する際に、適切に封筒に収まるので取り扱いの便宜が図られ、コストの低減も図られる。
【００７７】
収納具Ｍの貼付部４１´の位置を後面部３１から離間する方向へ移動して、貼付部４１´の前面側（図１７では下面側）に設けられた貼付部材１０´により、収納具Ｍを被貼付体８５としてのレジカウンターや書棚等に貼付する（図７参照）ことであってもよい。
【００７８】
被収納体としてのカードやチラシが多量の場合は、収納具Ｍが落下することを防止すべく、貼付部材１０´は、複数設けられることであってもよい。
【００７９】
なお、本実施の形態にも、上記の図８乃至図１６に示す変形例が適用可能である。
【００８０】
[その他の実施の形態]
上記の各実施の形態では、収納具Ｍは、全体を透明の樹脂材であるＰＥＴにより形成しているが、少なくとも一部分を着色や不透明の材料で形成することはもちろん、紙材等、公知の任意の材料で形成することであってもよい。
上記の各実施の形態では、収納具Ｍは、基本的には一枚のＰＥＴを折り曲げることにより形成しているが、収納具Ｍが前面部、下面部、後面部、抱持部、係止部、貼付部等を備えるということは、一枚板の折り曲げによる構成のみを意味するのでなく、別個の各部材（平板に限らなく凹凸がある部材を広く含む）を適宜に連接固定して形成されるもの等を包含するものであることは言うまでもない。
上記の各実施の形態における、収納口としての開口部７は、任意の位置、形状に形成されることであってよい。
上記の各実施の形態における、係止部や貼付部は、その一部を切り捨てること等により短くしたり、変形させて利用することであってもよい。
上記の各実施の形態における、挿入部は後面部等の上部に限らず任意の場所に形成されてよい。また、当該挿入部への係止部等の挿入は、手前側からでも奥側からでもどちらからでもよい。
【００８１】
その他、一々例示はしないが、本発明は、その趣旨を逸脱しない範囲内において、各構成部分の大きさや形状を含む種々の変更が加えられて実施されてよい。
【符号の説明】
【００８２】
Ｍ        収納具
Ｐ        組立て用基板
１        原前面部
（組み立て前の前面部）
２        原下面部
（組み立て前の下面部）
３        原後面部
（組み立て前の後面部）
３ａ      差し込みスリット
４        原係止部
（組み立て前の係止部）
５、６    折曲線
７        開口部
１０      貼付部材
１１      前面部
２１      下面部
３１      後面部
４１      係止部
５１      抱持部
８１      被係止体
８２      被貼付体
２０１    切欠部
２０２    壁掛け用の穴部
２０３    起立用の支脚部
【図１】
2014039577.tif 000003
【図２】
2014039577.tif 000004
【図３】
2014039577.tif 000005
【図４】
2014039577.tif 000006
【図５】
2014039577.tif 000007
【図６】
2014039577.tif 000008
【図７】
2014039577.tif 000009
【図８】
2014039577.tif 000010
【図９】
2014039577.tif 000011
【図１０】
2014039577.tif 000012
【図１１】
2014039577.tif 000013
【図１２】
2014039577.tif 000014
【図１３】
2014039577.tif 000015
【図１４】
2014039577.tif 000016
【図１５】
2014039577.tif 000017
【図１６】
2014039577.tif 000018
【図１７】
2014039577.tif 000019
【図１８】
2014039577.tif 000020
【図１９】
2014039577.tif 000021
【図２０】
2014039577.tif 000022